【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
複数の記録済み動画データを処理して編集する編集装置において、
前記複数の記録済み動画データを蓄積する蓄積部と、
前記蓄積部に蓄積された記録の開始時刻が異なる複数の記録済み動画データを時刻的に同期の取れた動画データになるよう処理し、一の動画データをモニタに表示させるとともに、対応する時刻に二以上の動画データが存在する状況において前記編集部により処理された他の動画データを動画サムネイルとして前記モニタに表示するように制御する情報を生成する編集部を備え、
前記編集部は、前記制御する情報と前記複数の記録済み動画データを記録メディアに記録することを特徴とする編集装置。
【請求項２】
複数の記録済み動画データを処理して再生する編集装置において、
前記複数の記録済み動画データを蓄積する蓄積部と、
前記蓄積部に蓄積された前記複数の記録済み動画データであって、記録の開始時刻が異なる複数の記録済み動画データを時刻的に同期の取れた動画データになるよう処理する編集部と、
前記編集部により処理された動画データをモニタに出力して表示させる出力部とを備えることを特徴とする編集装置。
【請求項３】
前記編集部は、前記複数の記録済み動画データの時刻差を抽出し、前記時刻差を元に前記複数の記録済み動画データから、時刻的に同期の取れた動画データになるよう前記制御する情報を生成することを特徴とする請求項１に記載の編集装置。
【請求項４】
前記編集部は、前記複数の記録済み動画データの時刻差を抽出し、前記時刻差を元に前記複数の記録済み動画データから、時刻的に同期の取れた動画データになるよう処理することを特徴とする請求項２に記載の編集装置。
【請求項５】
前記時刻差を、前記複数の記録済み動画データの音声レベル情報により抽出することを特徴とする請求項３または請求項４に記載の編集装置。
【請求項６】
前記音声レベル情報による抽出を前記複数の記録済み動画データ間の音声レベルのパタン一致検出情報により実施することを特徴とする請求項５に記載の編集装置。
【請求項７】
前記時刻差を、前記複数の記録済み動画データの記録時刻が重複している範囲において抽出することを特徴とする請求項３または請求項４に記載の編集装置。
【請求項８】
前記編集部は、前記時刻的に同期の取れた動画データについてＧＯＰ構造解析を行い、同一ＧＯＰ構造となるように再符号化処理またはデータ分割処理を行うことを特徴とする請求項１または請求項２に記載の編集装置。
【請求項９】
前記複数の記録済み動画データの時刻情報と時刻差情報により、メニュー情報を生成するメニュー生成部をさらに備えることを特徴とする請求項１または請求項２に記載の編集装置。
【請求項１０】
前記出力部は、前記編集部により処理された一の動画データを前記モニタに表示させるとともに、前記編集部により処理された他の動画データを動画サムネイルとして前記モニタに表示させ、前記動画サムネイルが選択された場合、前記一の動画データに変えて、選択された前記動画サムネイルが示す前記他の動画データを出力し、前記モニタに表示させることを特徴とする請求項２に記載の編集装置。
【請求項１１】
複数の記録済み動画データを処理して編集する編集方法において、
前記複数の記録済み動画データを蓄積する蓄積ステップと、
前記蓄積ステップにおいて蓄積された記録の開始時刻が異なる複数の記録済み動画データを時刻的に同期の取れた動画データになるよう処理し、一の動画データをモニタに表示させるとともに、対応する時刻に二以上の動画データが存在する状況において前記編集部により処理された他の動画データを動画サムネイルとして前記モニタに表示するように制御する情報を生成する編集ステップと、
前記制御する情報と前記複数の記録済み動画データを記録メディアに記録する記録ステップを備えることを特徴とする編集方法。
【請求項１２】
複数の記録済み動画データを処理して再生する編集方法において、
前記複数の記録済み動画データを蓄積する蓄積ステップと、
前記蓄積ステップによって蓄積された前記複数の記録済み動画データであって、記録の開始時刻が異なる複数の記録済み動画データを時刻的に同期の取れた動画データになるよう処理する編集ステップと、
前記編集ステップにより処理された動画データをモニタに出力して表示させる出力ステップとを備えることを特徴とする編集方法。
【請求項１３】
前記編集ステップは、前記複数の記録済み動画データの時刻差を抽出し、前記時刻差を元に前記複数の記録済み動画データから、時刻的に同期の取れた動画データになるよう前記制御する情報を生成することを特徴とする請求項１１に記載の編集方法。
【請求項１４】
前記編集ステップは、前記複数の記録済み動画データの時刻差を抽出し、前記時刻差を元に前記複数の記録済み動画データから、時刻的に同期の取れた動画データになるよう処理することを特徴とする請求項１２に記載の編集方法。
【請求項１５】
前記時刻差を、前記複数の記録済み動画データの音声レベル情報により抽出することを特徴とする請求項１３または請求項１４に記載の編集方法。
【請求項１６】
前記音声レベル情報による抽出を前記複数の記録済み動画データ間の音声レベルのパタン一致検出情報により実施することを特徴とする請求項１５に記載の編集方法。
【請求項１７】
前記時刻差を、前記複数の記録済み動画データの記録時刻が重複している範囲において抽出することを特徴とする請求項１３または請求項１４に記載の編集方法。
【請求項１８】
前記編集手段は、前記時刻的に同期の取れた動画データについてＧＯＰ構造解析を行い、同一ＧＯＰ構造となるように再符号化処理またはデータ分割処理を行うことを特徴とする請求項１１または請求項１２に記載の編集方法。
【請求項１９】
前記複数の記録済み動画データの時刻情報と時刻差情報により、メニュー情報を生成するメニュー生成手段をさらに備えることを特徴とする請求項１１または請求項１２に記載の編集方法。
【請求項２０】
前記出力方法は、前記編集ステップにより処理された一の動画データを前記モニタに表示させるとともに、前記編集ステップにより処理された他の動画データを動画サムネイルとして前記モニタに表示させ、前記動画サムネイルが選択された場合、前記一の動画データに変えて、選択された前記動画サムネイルが示す前記他の動画データを出力し、前記モニタに表示させることを特徴とする請求項１２に記載の編集方法。
【請求項２１】
複数の動画データの時刻差を抽出する抽出部と、
前記時刻差を元に前記複数の動画データから、時刻的に同期の取れた動画データを生成する編集部と、
前記時刻的に同期の取れた一つの動画データを表示部に出力し、かつ他の動画データを動画サムネイルとして前記表示部に出力している場合、前記動画サムネイルが選択されたとき、前記表示部に表示されている前記一つの動画データから前記動画サムネイルが示す前記他の動画データに切り替わって表示されるように出力する出力部を有することを特徴とする編集装置。
【請求項２２】
複数の動画データの時刻差を抽出する抽出ステップと、
前記時刻差を元に前記複数の動画データから、時刻的に同期の取れた動画データを生成する編集ステップと、
前記時刻的に同期の取れた一つの動画データを表示部に出力し、かつ他の動画データを動画サムネイルとして前記表示部に出力している場合、前記動画サムネイルが選択されたとき、前記表示部に表示されている前記一つの動画データから前記動画サムネイルが示す前記他の動画データに切り替わって表示されるように出力する出力部を有することを特徴とする編集方法。